(57)【要約】      （修正有）【課題】場所を選ばず電気を必要とせず、安価で、安心で、マッサージを行う側、受ける側共に負担の少ない全身マッサージローラーを提供する。【解決手段】水平または中間を僅かくの字型に曲げた中空パイプ軸２の中間部９に、適宜に隙間を設けて対峙した２個のストッパー３を装着固定し、ラジアルベアリングを両端に装着したローラー４を回転自在に中空パイプ軸の両端からストッパーに接するようにそれぞれ設け、戻り止めストッパー５にて固定し、中空パイプの端部にグリップ６を装着した。【選択図】図１
0003226593.tif 000002
【実用新案登録請求の範囲】
【請求項１】
中空パイプ軸の中間点から５ｃｍ以内の位置にストッパーを前記中空パイプ軸に固定し、該ストッパーに接するローラーを前記中空パイプ軸に回転自在に設け、該ローラーの前記ストッパー接触面とは反対面に接触する戻り止めストッパーを前記中空パイプ軸に固定し、さらに該中空パイプ軸端部にグリップを装着させ、前記中間点に対し左右対称にそれぞれを設けたことを特徴とするローラー２個から成る全身マッサージローラー。
【請求項２】
中空パイプ軸の中間部を僅かくの字型に曲げたことを特徴とする請求項１記載の全身マッサージローラー。
【考案の詳細な説明】
【技術分野】
【０００１】  本考案は場所を選ばずに健康を維持するためのマッサージローラーに関するものである。
【背景技術】
【０００２】  従来のマッサージは手技療法により、施術者の手で筋肉の凝りをほぐしていた。
その後、筒状の健康器具に自分の体を乗せて、自力で身体を動かし、凝りをほぐす健康器具が開発された。今では、身体を動かさずに凝りをほごす高価なベッド状や椅子状の電気マッサージ機、マッサージチェアが開発されている。
【先行技術文献】
【特許文献】
【０００３】
【特許文献１】特開２００１−１８７０９７
【考案の概要】
【考案が解決しようとする課題】
【０００４】  手技療法によるマッサージはマッサージを行う者の負担が大きく、一度に十分なマッサージを施すには時間を要した。【０００５】  筒状のマッサージ器は、自分の体重をかけ身体を動かして身体の凝りをほぐすため、凝っている者にとっては、マッサージ器を体に当てて体重をかけただけでもかなり痛みがあり、更に動くと痛みにより長続きせず、また、身体に力が入り中々凝りがほぐれなかった。そして慣れていないとローラーが背骨にあたり、脊髄を刺激してしまう事があった。【０００６】  ベッド状や椅子状の電気マッサージ機、マッサージチェアは高価で場所も取る。電磁波過敏症の者やペースメーカーの使用により医師から電気マッサージ機の使用を禁じられている者は使用できない場合があった。【０００７】  その他、被災地など避難所で生活をしている者は、行動範囲が狭くなり、脚力が弱り、同じ体勢でいることにより腰痛や血流が悪くなる傾向にある。避難中、自動車の中で過ごしエコノミー症候群になる被災者も多かった。そして何よりも電気マッサージ機は停電時には使用できないことである。
【課題を解決しようとする手段】
【０００８】  本考案は、場所を選ばず電気を必要としない、安価で、安心して、そしてマッサージを行う側、受ける側共に負担の少ない全身マッサージローラーを提供することである。
【０００９】  つまり、上記課題を解決するために、中空パイプ軸と、該中空パイプ軸の中間部に適宜隙間を設けて対峙し固定した２個のストッパーと、該ストッパーにそれぞれ接するローラーを前記中空パイプ軸に回転自在に設け、該ローラーの前記ストッパーと接する反対面にそれぞれ戻り止め用ストッパーを固定し、前記中空パイプ軸の両端にグリップを装着してなるローラー２個から成る全身マッサージローラーであって、適宜に隙間を設けたことにより、背骨にローラーが当たらない様に配置したことにある。
【００１０】  すなわち、上記構成によれば、相対した一対のローラーが、背骨を圧迫せず、背骨に対して対称に接し、背骨の上下方向に押圧移動させることで背中全体に施術でき、短時間で広範囲にマッサージをすることができる。また、中空パイプ軸の中間部を僅かくの字型に曲げることで身体に対する中心がブレづらく、自分自身でするローラー施術を容易にしたものである。
【考案の効果】
【００１１】  本考案は、家庭や避難所でも、場所を選ばず、自分でも、家族同士でも安全に使用することが出来る電気を使用しない安価なマッサージローラーである。
また、災害による車の中での避難中、エコノミー症候群が懸念されるが、車中でも使用できるものであり、２つのローラーを使用することで、背骨を中心にして、背中を短時間で広範囲にマッサージすることができる。
【００１２】  そして、２本のローラーの中間部を僅かくの字に曲げることにより、身体に対する中心がブレづらくなる。つまり自分で背中をマッサージする際は、図６の様に両腕を張って行うため背中が平らにならない。そこで、僅かくの字に曲げた本考案のマッサージローラーは、前述の通り身体に対する中心がブレづらいため容易に施術が可能で、広範囲にわたり自分で背中をマッサージできるものである。
【００１３】  上記記載によれば、適宜に設けた隙間により、背骨や神経を傷つけたり、背骨を刺激することなくマッサージをすることができるので、場合によっては背骨の圧迫により起こりうる症状を回避することができるものである。
【００１４】  すなわち本考案は、再記するが２つのローラーの間に隙間を設けたことにより施術時、背骨を圧迫せず、背骨に対して対称に接し、背骨の上下方向に押圧移動させることで背中全体に施術でき、短時間で広範囲にマッサージをすることができる。また、中空パイプ軸の中間部を僅かくの字型に曲げることで身体に対する中心がブレづらく、自分自身でするローラー施術を容易にしたものである。つまり家庭や避難所でも、場所を選ばず、自分でも、家族同士でもローラー施術を安全に使用することが出来る。
災害の避難中においては、車の中での避難は、エコノミー症候群が懸念されるが、車中でも、停電時でも使用できる。
【図面の簡単な説明】
【００１５】
【図１】本考案を実施した全身マッサージローラーの一実施例である。
【図２】本考案を実施した全身マッサージローラーの一実施例の断面図である。
【図３】本考案請求項２の断面図である。
【図４】本考案を背中に当てた時の正面図である。
【図５】本考案の請求項２を背中に当ててマッサージをしている図である。
【図６】本考案の請求項２を使用し自分の背中をマッサージしている図である。
【考案を実施するための形態】
【００１６】  中空パイプ軸と、該中空パイプ軸の中間部に適宜隙間を設けて対峙し固定した２個のストッパーと、該ストッパーにそれぞれ接するローラーを前記中空パイプ軸に回転自在に設け、該ローラーの前記ストッパーと接する反対面にそれぞれ戻り止め用ストッパーを固定し、前記中空パイプ軸の両端にグリップを装着してなるローラー２個から成る全身マッサージローラーであって、適宜に隙間を設けたことにより、背骨にローラーが当たらない様に配置したことにある。
また、中空パイプ軸の中間部を僅かくの字に曲げることで、自分でマッサージするときにも中心がブレないで施術できるものである。
【実施例】
【００１７】  図１は本考案の一実施例で、中空パイプ軸２と、該中空パイプ軸２の中間点９に適宜隙間１３を設けて対峙し固定した２個のストッパー３と、該ストッパー３にそれぞれ接するローラー４を前記中空パイプ軸２に回転自在に設け、該ローラー４の前記ストッパー３と接する反対面にそれぞれ戻り止め用ストッパー５を固定し、前記中空パイプ軸２の両端にグリップ６を装着してなるローラー２個から成る全身マッサージローラー１であって、中空パイプ軸２の中間点９に適宜に隙間を設けたことにより、背骨にローラー４が当たらない様に配置したものである。【００１８】  図２は図１で示した一実施例の断面図であって、ローラー４にはベアリング８が施されているが、必ずしもベアリングとは限らなく摩擦抵抗の少ない樹脂製の軸受けであってもよい。また本考案の思想を逸脱しない範囲で、ローラー４自体も金属製とは限らず硬質ゴムや樹脂製であってもかまわないものとする。中空パイプ軸２に、ローラー４の両端に固定されたストッパー３及び戻り止めストッパー５はビスなどによって固定され、身体の大きさにより調整可能となっている。【００１９】  図３は本考案の請求項２の断面図で、中空パイプ軸２の中間点９付近を僅かくの字に曲げることで、自分でマッサージするときにも中心がブレないで施術できるものである。【００２０】  図４は本考案の全身マッサージローラー１を背中１２に当てた時の正面図である。
本実施例では、中空パイプ軸２の中間点９に設けられた８ｃｍ（中間点９からそれぞれ４ｃｍ）の隙間１３が背中１２の中心線線上にある背骨１０にローラー４の押圧力が直接加わらないことを示している。施術者による施術は患者の懲り状態を鑑み押圧をかけていくが、背骨１０に対して左右対称に線上に力が加わり、全身マッサージローラー１を上下することで施術面１１を一度に均一にマッサージできるものである。【００２１】  施術者はグリップ６をそれぞれ両手で握ぎるわけだが、グリップ６は程よい握り感と患者への接触を考慮した形状、材質とする。本考案のグリップ６の形状はローラー方向部をテーパー面７、断面を円形、表面を手の平との摩擦などを考慮した粗面とし、材質は樹脂製としたものである。その他グリップ６本体の形状が外側に向かって緩やかに太くしたり、断面を楕円形にしたり、角面をＲ面とするなど施術者が握った時に自然と力が入りやすく、施術時の手の負担を軽くする溝や多少の凸凹など施すこともよい。【００２２】  図５、図６は本考案の請求項２を背中に当ててマッサージをしている図である。
中空パイプ軸２の中間点９付近を僅かくの字型に曲げることで身体に対する中心がブレづらく、自分自身でするローラー施術を容易にしたものである。図５に示す様にうつ伏せになり、背中が平らにならない場合、又は図６に示す様に、自分で背中を施術する時など、背中が反ってしまう場合、ローラー４の角度が身体に合わせて傾斜となり、円滑に回転させることが出来る。
つまり家庭や避難所でも、場所を選ばず、自分でも、家族同士でもローラー施術を安全に使用することが出来るものである。【００２３】  すなわち本考案の全身マッサージローラー１は、２つのローラー４の間に隙間１３を設け、施術時、背骨を圧迫せず、さらに２本のローラー４で背骨１０に対して対称に接し、上下方向に押圧移動させることで背中全体を施術でき、短時間で広範囲にマッサージをすることができる。また、中空パイプ軸２の中間点９付近を僅かくの字型に曲げることで身体に対する中心がブレづらく、自分自身でするローラー施術を容易にしたものである。つまり家庭や避難所でも、場所を選ばず、自分でも、家族同士でもローラー施術を安全に使用することができ、災害の避難中においては、車の中での避難は、エコノミー症候群が懸念されるが、車中でも、停電時でも使用できる安価で安心できる全身マッサージローラーを提供できるものである。
【符号の説明】
【００２４】１  本体
２  軸
３  ストッパー
４  ローラー
５  戻り止めストパー
６  グリップ
７  テーパー面
８  ベアリング
９  中空パイプ軸２の中間点
１０  背骨
１１  ローラー押圧部
１２  背面
１３  隙間
【図１】
0003226593.tif 000003
【図２】
0003226593.tif 000004
【図３】
0003226593.tif 000005
【図４】
0003226593.tif 000006
【図５】
0003226593.tif 000007
【図６】
0003226593.tif 000008